(57)【要約】【課題】 圧力調節が可能な即席調理容器を提供する。【解決手段】 発熱体を内部に入れてから水を入れ前記発熱体の熱によって飲食物の調理が可能な即席調理容器においては、金属材質からなり上面が開放された円筒状に形成され側壁には取っ手が付着されて上部は縁取りされてるリング状の固定部がある加熱容器と、金属材質からなり上面が開放された円筒状に形成され前記加熱容器の内部に水と発熱体が収納できるように前記加熱容器の底面とこの底面との間の離隔した距離が一定な長さを用いること、前記加熱容器の内部に収納されて前記固定部に掛けられるよう上部の縁に沿って延長するように外方に突出された締結部があることと、更に、上部の縁の内側には安着部があることを含んで形成された調理容器と、金属材質からなりリング状に形成されて前記加熱容器の固定部と前記調理容器の締結部を相互密着させ圧力を維持するためのロッキング(Locking)部材と、前記調理容器の安着部に載置された蓋、および前記加熱容器の他側壁に付着されて前記加熱容器の内部圧力を外部に排出させることにより圧力を一定に維持するための減圧バルブと、を含むことを特徴とする。本発明によれば、加熱容器の側壁に減圧バルブを付着させ、調理容器と加熱容器の間をリング状のロッキング(Locking)部材により密着固定させて減圧バルブによって加熱容器と調理容器の間の内部圧力を調節できるようにすることで水を沸かす速度を上げることができ、高圧による爆発の危険を未然防止することもでき、また、蓋は調理容器と加熱容器の側壁の上端部に装着されるロッキング(Locking)部材には固定されず、蓋の重さによって固定されるので容易に開閉できる。【選択図】図3
2011506036.tif 000002
【特許請求の範囲】
【請求項１】
本発明は、発熱体を内部にいれてから水をいれ前記発熱体の熱によって飲食物の調理が可能な即席調理容器において、
金属材質からなり上面が開放された円筒状に形成され側壁には取っ手が付着されて上部の縁に固定部が形成された加熱容器と、
金属材質からなり上面が開放された円筒状に形成されて前記加熱容器の内部に発熱体が収納できるように前記加熱容器の底面とこの底面との間の離隔した距離が一定な長さを用いて、前記加熱容器の内部に収納され前記固定部に掛けられるよう上部の縁から外方に締結部が突出されて、更に、上端部の縁の内側に は安着部が形成された調理容器と、
金属材質からなりリング状に形成されて前記加熱容器の固定部と前記調理容器の締結部を相互密着させ圧力を維持するためのロッキング(Locking)部材と、
前記調理容器の安着部に載置された蓋、および、
前記加熱容器の他側壁に付着され前記加熱容器の内部圧力を外部に排出させることにより、圧力を一定に維持するための減圧バルブと、を含むことを特徴とする圧力調節が可能な即席調理容器 。
【請求項２】
前記加熱容器は、前記減圧バルブを付着させるための付着溝が形成されてあることを特徴とする圧力調節が可能な即席調理容器 。
【請求項３】
前記調理容器は、前記固定部の内側にシリコーン(silicon)材質のO-リングが装填されてあることを特徴とする圧力調節が可能な即席調理容器 。
【請求項４】
前記ロッキング(Locking)部材は、側面が⊂状として半球の形態で形成され、両端から第１連結板と第２連結板が延長するように形成されて、前記第１連結板の末端部は丸い形態で形成されて、前記第２連結板にはフック(hook)が付着された第１本体と、
前記第１本体と対応できる形態で側面が⊂状として半球の形態で形成され、両端からは前記第３連結板と第４連結板が延長するように形成されて、そして、第３連結板と第４連結板の両末端部が丸い形態で形成された第２本体と、及び 
金属材質として四角リング状の形態で形成されて、前記第１本体の第１連結板と前記第２本体の第３連結板を相互連結させて、更に、前記第１本体と第２本体が内方や外方に動かせることができるように付着された連結ピンを含むことを特徴とする圧力調節が可能な即席調理容器 。
【請求項５】
前記減圧バルブは、圧力が0.007〜0.009Kgf/cm2以上に上昇すれば、開放されることを特徴とする圧力調節が可能な即席調理容器 。
【請求項６】
前記減圧バルブは、使用者の操作により、内部圧力を外部に排出させるためにワンタッチ式のハンドルを備えることを特徴とする圧力調節が可能な即席調理 容器 。
【発明の詳細な説明】
【技術分野】
【０００１】
本発明は、加熱容器の側壁に減圧バルブを付着し、調理容器と加熱容器の間をリング状のロッキング(Locking)部材により密着固定させ、減圧バルブによって加熱容器と調理容器の間の圧力を一定になるように調節できる圧力調節が可能な即席調理容器に関する。
【背景技術】
【０００２】
一般家庭、飲食店でない場所で飲食物を加熱する方法としては火等の熱エネルギーを利用するのは必須要件になっている。
【０００３】
従来には、その熱エネルギーを活性炭、ヒーター、バーナーといった燃焼用道具や装備に依存するしかなく、また、このような道具は取扱上の観点から携帯及び使用方法において不便だけでなく、燃焼時、生じる炎により火災、或いは人体に損傷を与えることもあるため危険性を勘案する必要がある。
【０００４】
したがって、直接火を使用せず、即席で飲食物を加熱させ、調理できるような機能、すなわち、一般炊事道具の機能を代替できる炊事道具が切実に提案されてある。
【０００５】
このような要求に応じて、燃焼せずに即席で水を沸かすことができる即席調理容器が提供されたことがある。
【０００６】
このような即席調理容器は、容器本体の内部の内容物と密封された発熱体袋及び飲食物容器を備えて、内容物を加熱させる場合には、発熱体袋を容器本体から取り出して開封した後、それを容器本体に戻してから水を入れて、反応させ、内部に被調理物が入ってある飲食物容器を加熱させるものである。
【０００７】
これは、内容物を加熱させる場合、容器本体から前記材料を取り出してから戻す必要があるので時間がかかり、また、容易に取扱うのが難しいため子供や老人には取り扱うのに危険が伴うことと、瞬間的に発生される発熱体の発熱時間が短かく、容器本体から外部での漏出される発熱量が多くなってあるため、飲食物を温める程度の機能しかできなかった。
【０００８】
したがって、即席で飲食物に加熱させ調理できるような機能、すなわち、一般炊事道具の機能を代替できる炊事道具が提案されている。
【０００９】
このような要求に応じるため、韓国内特許公開 2005-0110514による即席調理容器が開発された。
【００１０】
前記即席調理容器は、図１及び図２に示されたように上面が開口されてある容器本体(11)及びロッキング(Locking)部材(13)を利用し前記本体を密閉させる蓋(12)で構成されてある発熱容器(10)と、上面が開口され、その内部には調理用の水を含む飲食物が収納されて、容器の蓋により開閉され、前記発熱容器の内部には空間の間隔を置いて収納される飲食物容器(20)と、そして前記発熱容器の内部には発熱用の水(31)及び不織布(32a)が入れることになって、前記発熱用の水と反応させて発熱することによって前記飲食物容器に収納された調理物を加熱させる発熱物質(32)で構成されてある発熱体(30)を含む。この場合、蓋(12)は、前記発熱容器の上面の開口部を密閉させ一つ以上の蒸気排出孔(12c)が形成されてある第１版板材(12a)、及び前記第１版板材の内面に形成されて、前記飲食物容器の開口部を密閉させることとその周囲部を通して、前記飲食物容器の内部の蒸気が前記第１版板材の蒸気排出孔を通して排出されるように案内役の第２板材(12b)で構成されてある。
【００１１】
しかしながら、このような従来の即席調理容器は発熱容器と飲食物容器の間が密閉された構造になったため高圧により、水の沸騰点が高くなるので水を容易に加熱すのが難しい、内部圧力による爆発の危険が内在してある問題点がある。
【００１２】
又、蓋が発熱容器に形成されたロッキング(Locking)部材により固定されるため、飲食物の調理中、確認のため蓋を開けて見るたびにロッキング(Locking)部材をいちいち取外さなければならない不便さがあり、ロッキング(Locking)部材を手で外す場合、発熱容器が高温で加熱されてあるため火傷を負うかもしれない問題点がある。
【発明の開示】
【発明が解決しようとする課題】
【００１３】
本発明は前記の問題を解決するためになされたもので、加熱容器の側壁に減圧バルブを付着して、調理容器と加熱容器の間をリング状のロッキング(Locking)部材により密着固定させ、減圧バルブによって加熱容器と調理容器の間の圧力を調節することで 水を沸かす速度を上げることができ、高圧による爆発の危険を未然防止することができるように圧力の調節が可能な即席調理容器を提供することを課題とする。
【００１４】
また、本発明は、蓋は調理容器と加熱容器の側壁の上端部に装着されるロッキング(Locking)部材により固定されず、蓋の重さにより固定されるので蓋の容易に開閉できるようになってある圧力調節が可能な即席調理容器を提供することを課題とする。
【課題を解決するための手段】
【００１５】
本発明は、発熱体を内部にいれから水をいれ前記発熱体の熱によって飲食物の調理が可能な即席調理容器においては、金属材質からなり上面が開放された円筒状に形成され側壁には取っ手が付着されて上部は縁取りされているリング状の固定部がある加熱容器と、金属材質からなり上面が開放された円筒状に形成されて前記加熱容器の内部に水と発熱体が収納できるように前記加熱容器の底面とこの底面との間の離隔した距離が一定な長さを用いること、前記加熱容器の内部に収納されて前記固定部に掛けられるよう上部の縁に沿って延長するように外方に突出した締結部があることと、更に、上部の縁の内側には安着部があることを含んで形成された調理容器と、金属材質からなりリング状に形成されて前記加熱容器の固定部と前記調理容器の締結部を相互密着させ圧力を維持するためのロッキング(Locking)部材と、前記調理容器の安着部に載置された蓋、および前記加熱容器の他側壁に付着されて前記加熱容器の内部圧力を外部に排出させることにより圧力を一定に維持するための減圧バルブを含むことを特徴とする。
【００１６】
また、前記加熱容器は、前記減圧バルブが付着される付着溝が形成される。
【００１７】
さらに、前記調理容器は、前記固定部の内側にシリコーン(silicon)材質のO-リング(ring)が装着されてある。
【００１８】
さらに、前記ロッキング(Locking)部材は、側面が⊂状として半球の形態で形成された両端部からは第１と２の連結板が延長するように形成されており、そして、前記第１連結板の末端部は丸い形態で形成され、前記第２連結板にフック(hook)が付着された第１本体と、前記第１本体と対応できる形態で側面が⊂状として半球の形態で形成されており、両端部からは第３と４の連結板が延長するように形成され、そして、前記第３と４の連結板の末端部が丸い形態で形成された第２本体、及び金属材質からなる四角リング状の形態で形成されており、前記第１本体の第１連結板と前記第２本体の第３連結板を相互連結させて、前記第１本体と第２本体が内方や外方に動かせることができるように装着された連結ピンを含む。
【００１９】
さらに、前記減圧バルブは 0.007〜0.009Kgf/cm2の圧力では開放されることができる、使用者の操作により、内部の圧力を外部に排出させるようにワンタッチ式のハンドルを備える。
【発明の効果】
【００２０】
本発明の圧力調節が可能な即席調理容器によれば、加熱容器の側壁に 減圧バルブを付着させ、調理容器と発熱容器の間のリング状のロッキング(Locking)部材により密着固定させて減圧バルブによって加熱容器と調理容器の間の内部の圧力を調節できるようにすることで水を沸かす速度を上げることができ、高圧による爆発の危険を未然防止することもでき、また、蓋は、調理容器と加熱容器の側壁の上端部に装着されるロッキング(Locking)部材には固定されず、蓋の重さにより固定されるので容易に開閉できる利点がある。
【発明を実施するための最良の形態】
【００２１】
本発明を説明にする事に関して、関連された公知機能、または、構成に対する具体的な説明が本発明の要旨を不必要に紛らわしくすると判断した場合はその繊細な説明は省略する。そして、後述される用語は本発明での機能を考慮して、定義された用語であり、これは使用者、運用者の意図、または、慣例等により異なる場合もある。したがって、その定義は本明細書の全般にかかれた内容を元に下すようにする。  
【００２２】
以下図面を参照して、本発明の圧力調節が可能な即席調理容器の構成を詳細に説明する。
図３は、本発明における圧力調節が可能な即席調理容器の構成を示した分解斜視図であり、図４は本発明における圧力調節が可能な即席調理容器のロッキング(Locking)部材の構成を示した斜視図であり、図６は本発明における圧力調節が可能な即席調理容器の即席調理容器の構成を示した部分断面図であり、図７a及び図７bは、本発明における圧力調節が可能な即席調理容器の減圧バルブの動作状態を示した断面図である。
【００２３】
図３乃至図７bを参照すれば、本発明における圧力調節が可能な即席調理容器(100)は、加熱容器(110)と、調理容器(120)と、ロッキング(Locking)部材(130)と、蓋(140)と、減圧バルブ(150)で構成されてある。
【００２４】
まず、加熱容器(110)は、アルミニウムやステンレスのような金属材質で上面が開放された円筒状に形成され、側壁には取っ手(111)が付着され、上部の縁に固定部(113)が形成される。
【００２５】
尚、加熱容器(110)は、下記で説明する減圧バルブ(150)が付着される付着溝(115)が備えてある。
【００２６】
また、固定部(113)は、下記で説明する調理容器(120)の締結部(121)が結合されるように上部の縁から外方に曲線から成り開く形態で形成される。
また、加熱容器(110)は、表面は一般的な方法によってコーティング処理されて、取っ手(111)は通常の構造として、リベット(rivet)または、溶接方式により加熱容器(110)に固定される。
【００２７】
そして、調理容器(120)は、内部に調理物を収納できるように金属材質として上面が開放された円筒状に形成されて、加熱容器(110)は、表面は一般的な方法によってコーティング処理されて、加熱容器(110)の内部に収納され、固定部(113)に掛けられるよう上部の縁から外方に┓状の形態での締結部(121)が突出して形成されて、上端部の縁の内側には安着部(123)が形成され、加熱容器(110)の内側に装填される。 
【００２８】
また、調理容器(120)は、加熱容器(110)の内部に水と発熱体が収納できるように加熱容器(110)の底面とこの底面との間の離隔した距離が一定な長さを用いることが好ましくて、更に、加熱容器(110)と密着固定されることにより、熱が外部に放出されることを遮断できるように固定部(113)の内側にシリコーン(silicon)材質のO-リング(125)が装填されてある。
【００２９】
また、ロッキング(Locking)部材(130)は、金属材質としてリング状で形成されて、加熱容器(110)と調理容器(120)の側壁の上端部に装着させ、両容器の間を相互密着させることにより、その内部の圧力が流出されることを遮断するため、加熱容器(110)と調理容器(120)に装着される。
【００３０】
また、ロッキング(Locking)部材(130)は、側面が⊂状として半球の形態で形成された両端部からは第１連結板(132)と第２連結板(133)が延長するように形成されており、そして、第１連結板(132)の末端部は丸い形態で形成され、第２連結板(133)にはフック(hook)(134)が付着された第１本体(131)と、第１本体(131)と対応できる形態で側面が⊂状として半球の形態で形成されており、両端部からは第３連結板(136)と第４連結板(137)が延長するように形成され、そして、第３連結板(136)と第４連結板(137)の両末端部がフック(hook)(134)、及び、下記で説明する連結ピン(139)と連結されるように丸い形態で形成された第２本体(135)と、金属材質からなる四角リング状の形態で形成されており、第１本体(131)の第１連結板(132)と第２本体(135)の第３連結板(136)を相互連結させることと共に、第１本体(131)と第２本体(135)が内方や外方に動かせることができるように装着された連結ピン(139)から成る。この場合、ロッキング(Locking)部材(130)は下記で説明する蓋(140)と干渉がないように形成されるのが好ましい。
【００３１】
蓋(140)は、金属または、ガラス材質であり、金属の場合、表面が 一般的な方法によってコーティング処理されて、調理容器(120)の安着部(123)に蓋の重さにより安着される。
【００３２】
一方、減圧バルブ(150)は、加熱容器(110)の付着溝(115)に付着されて、加熱容器(110)の内部圧力を外部に排出させることによって、圧力を一定に維持するためには、その圧力が0.007〜0.009Kgf/cm2であるのが好ましい。
【００３３】
また、減圧バルブ(150)は、使用者の操作により、内部の圧力を外部に排出させるためにワンタッチ式のハンドル(151)を備える。
【００３４】
以下図面を参照して、本発明の圧力調節が可能な即席調理容器の作用を詳細に説明する。
【００３５】
加熱容器(110)の内部に調理容器(120)が収納され、調理容器(120)の上段部に蓋(140)が安着された状態で、ロッキング(Locking)部材(130)が 加熱容器(110)と調理容器(120)を固定させた状態で、別途に準備された鞄（未図示）に収納された状態で提供、保管される。
【００３６】
キャンピングのように野外で飲食物を調理するため、水を沸かす場合、鞄から本発明における圧力調節が可能な即席調理容器(100)を取り出してからロッキング(Locking)部材(130)のフック(hook)(134)を解いて、ロッキング(Locking)部材(130)を外してから加熱容器(110)の内部から調理容器(120)を取り出す。
【００３７】
次に、加熱容器(110)内に発熱体(101)を入れ、適当な量の加熱用の水を入れて、調理用の水、または飲食物を入れた調理容器(120)を加熱容器(110)の内部に収納させ、ロッキング(Locking)部材(130)により調理容器(120)を加熱容器(110)に固定させる。
【００３８】
そして、調理容器(120)に蓋(140)を安着させ、調理容器(120)が密閉させる。
【００３９】
そのようになれば、加熱容器(110)内に入れた加熱用の水と発熱体(101)が混合されることになって、化学反応が開始し、熱が生じる。
【００４０】
熱が生じると、加熱用の水の温度が調理に必要な温度（１００℃以上）として、短い時間内に上昇され、発熱体(101)により上昇された温度が３０分以上、持続させることができる。
この時、加熱用の水の温度が１００℃以上に上昇できる理由は 調理容器(120)と加熱容器(110)の間が密閉された状態を維持中、水蒸気により、一定な圧力（0.007〜0.009Kgf/cm2）以上に上昇すれば、減圧バルブ(150)が開放されることになって、水蒸気が外部に排出され、内部の圧力の状態を一定に維持させるため、水が短い時間内に沸騰点に到達することができる。即ち、圧力が低いほど水の沸騰点が低くなるので減圧バルブ(150)により、調理容器(120)と加熱容器(110)の間の空間の状態を大気圧と同じ条件に維持させることができるのである。
【００４１】
水の温度が上昇することにより、調理容器(120)に熱が伝導されて、調理容器(120)の内部にある飲食物及び調理用の水が加熱される。
【００４２】
本発明は、多様に変形させることができ、様々な形態にすることもでき、前記発明の詳細な説明ではそれにおける特別な実施の例に関してのみ記述した。しかし、本発明は、詳細な説明で取り上げる特別な形態で限定されることではないことを理解しなければならないことと、なお、添付された請求範囲により定義される、本発明の精神と範囲内である全ての変形物と均等物、および代替物を含むこととして理解しなければならない。
【図面の簡単な説明】
【００４３】
【図１】従来の即席調理容器を示す図面である。
【図２】従来の即席調理容器を示す図面である。
【図３】本発明における圧力調節が可能な即席調理容器の構成を示す分解斜視図である。
【図４】本発明における圧力調節が可能な即席調理容器の構成を示す斜視図である。
【図５】本発明における圧力調節が可能な即席調理容器のロッキング(Locking)部材の構成を示す斜視図である。
【図６】本発明における圧力調節が可能な即席調理容器の調理容器の構成を示す断面図 である。
【図７ａ】本発明における圧力調節が可能な即席調理容器の 減圧バルブの動作状態を示す断面図 である。
【図７ｂ】本発明における圧力調節が可能な即席調理容器の 減圧バルブの動作状態を示す断面図 である。
【符号の説明】
【００４４】
１０    シート部
１２    肘掛け部
２０    背凭れ部
２２    背凭れフレーム
２２ａ    切開孔
２２ｂ    凹溝部
２４    補助背当て板
２６    背凭れクッション
２８    固定板
３０    脚部
３２    支持足
３２ａ    キャスター
３４    油圧式ロッド
【図１】
2011506036.tif 000003
【図２】
2011506036.tif 000004
【図３】
2011506036.tif 000005
【図４】
2011506036.tif 000006
【図５】
2011506036.tif 000007
【図６】
2011506036.tif 000008
【図７ａ】
2011506036.tif 000009
【図７ｂ】
2011506036.tif 000010
【国際調査報告】
2011506036.tif 000011
2011506036.tif 000012